(57)【要約】      （修正有）【課題】背板側に表示部を設けるためのダブルクリップ用インデックスを提供する。【解決手段】対象物を所定の付勢力で挟持する本体と、本体の挟持付勢力に抗して本体の挟持部を開放するための、挟持部に回転可能に取付けられた回転部材とを備えるダブルクリップにおいて、本体の長手方向の長さよりも長く形成され、その両端に形成された係止爪５ｂが、隙間をもって、背板部に係止される装着部５と、この装着部５の一側面から直角方向に伸びて設けられた表示部６ｂとからなるインデックス６を設けたものである。【選択図】図２
0003207507.tif 000002
【実用新案登録請求の範囲】
【請求項１】
対象物を所定の付勢力で挟持するダブルクリップ本体と、前記本体の挟持付勢力に抗して前記本体の挟持部を開放するための、前記挟持部に回転可能に取付けられた操作子とを備えるダブルクリップに適応するインデックスにおいて、前記本体背板の長手方向の長さより長い幅を有しさらに、その両端に形成された係止爪が所定の隙間をもってダブルクリップ背板部に係止される装着部と、この装着部の一側面から直角方向に伸びて設けられた表示部とからなるインデックスを設けたことを特徴とするダブルクリップ用インデックス。
【請求項２】
前記装着部の両端に設けた係止爪の間に突状面を設けたことを特徴とする請求項１記載のダブルクリップ用インデックス。
【請求項３】
前記表示部はヒンジ部を介して、装着部に対し折曲可能に設けられた、請求項１または請求項２記載のダブルクリップ用インデックス。
【考案の詳細な説明】
【技術分野】
【０００１】  本考案は、ダブルクリップの背板側に表示部を設けるためのダブルクリップ用インデックスに関する。
【背景技術】
【０００２】  ダブルクリップは、それぞれ単独で存在している書類などを取りまとめておくことが出来る有用な事務用品として広く用いられている。
しかしながら、折角取りまとめられた資料であっても、その資料が増加すれば、それぞれの資料の区別が困難になってしまう。そこで、取りまとめた資料を区別する方法として紙面の縁部に資料の紙面方向と同方向にインデックスを取り付ける整理方法が用いられている。
しかしながら、取りまとめた資料を紙面方向に積み重ねたり、棚に収納してしまうと、紙面の厚さ方向（背板部）しか見えなくなることから、紙面と面方向を同じくして取り付けたインデックスでは容易に所望の資料を見つけることができない。
特許文献１には、取りまとめた資料を積み重ねたり棚に収納することにより、紙面の厚さ方向しか見えない場合であっても、所望の資料を迅速に見つけることが可能なダブルクリップが提案されている。
【先行技術文献】
【特許文献】
【０００３】
【特許文献１】  特開２００５−１２５５９８号公報
【考案の概要】
【考案が解決しようとする課題】
【０００４】  しかし特許文献１の表示部Ａは（特許文献１の図５参照）ダブルクリップの背板幅より狭く設定されているため、表示部Ａが縦長となっている。ダブルクリップを資料にセットする場合、表示部Ａ長さが資料長さより大きいと、棚への収納時には、棚底面及び棚上面と表示部Ａが当たってしまうことになる。よって、ダブルクリップを取り付ける位置が限定される。
また、表示部Ａの幅をダブルクリップの背板幅より広くすることは可能であるが、表示部Ａを背板幅より広くした場合、紙面方向に積み重ねたり、棚に収納した場合に他の資料と表示部同士が、干渉することになる。
さらに、表示部幅をダブルクリップ背板幅より広くした場合、ダブルクリップ用インデックスを装着したダブルクリップを資料より着脱する場合は、ダブルクリップの操作子が表示部に干渉し、ダブルクリップ用インデックスをダブルクリップより外さないと資料より着脱することが出来ない。【０００５】  本考案は、一般的に用いられているダブルクリップに好適に利用することができ、資料をダブルクリップでとめて積み重ねたような場合においても、簡単に所望の資料を見つけることが可能なダブルクリップ用インデックスを提供することを目的とする。
【課題を解決するための手段】
【０００６】  上記目的を達成するべく、本考案は、対象物を所定の付勢力で挟持するダブルクリップ本体と、前記本体の挟持付勢力に抗して前記本体の挟持部を開放するための、前記挟持部に回転可能に取付けられた操作子とを備えるダブルクリップに適応するインデックスにおいて、前記ダブルクリップ本体背板の長手方向の長さより長い幅を有し、さらにその両端に形成された係止爪が、隙間をもって、ダブルクリップ本体背板部に係止される装着部と、この装着部の一側面から直角方向に伸びて設けられた表示部とからなるインデックスを設けたものである。【０００７】  この構成によれば、ダブルクリップ用インデックスおよびこれを具備するダブルクリップを採用することにより、資料を収納したファイルにダブルクリップを取り付けることによって、インデックスを容易に取付けられる。【０００８】  また本考案の好ましい形態は、装着部内側面に、突状面を設けたものである。この解決手段により表示部を設けたインデックスが所定角度可動可能であり、表示部が見やすくなる。【０００９】  さらに本考案によれば、前記表示部にはヒンジ部を介して、装着部に折曲可能に設けられたものである。この解決手段によりバッグやカバンに収納して持ち歩く場合には表示部がヒンジ部を介して折曲するため、容易に収納することが出来る。【００１０】  本発明に係るダブルクリップ用インデックスおよびこれを具備するダブルクリップを採用することにより、取りまとめた資料の縁部にインデックスを付けることができる。
また、既存のダブルクリップをそのまま使用することができると共に、容易にインデックスを取り付けることができるので、手間がかからないと共に、資源の有効利用が可能になる。
【図面の簡単な説明】
【００１１】
【図１】  本考案の実施形態を示すダブルクリップ斜視図
【図２】  ダブルクリップ用インデックスの斜視図
【図３】  同インデックの装着部およびヒンジ部拡大図
【図４】  同インデックスをダブルクリップに取り付け使用状態を表す斜視図
【図５】  同インデックスの回動が規制される状態を示す断面図
【図６】  従来のインデックスを示す斜視図
【考案を実施するための形態】
【実施例】
【００１２】  以下、本考案の実施の形態を図１から図４に基づいて説明する。【００１３】  図１におけるダブルクリップは公知のものと同様、ダブルクリップ本体１は、弾性を有する金属板において背板部２と側板３からなる断面がほぼ三角形に折曲して、その開口縁３ａ、３ａが自己の弾性により閉じる方向に付勢され、この開口縁３ａ、３ａに形成された軸受け部３ｂ、３ｂに金属線材をコ字状に折曲形成した一対の操作子４，４の外方に直角方向に折り曲げられた基部４ａ、４ａが回動自在に取り付けられ、各操作子４，４はクリップ本体１の外側面に沿うように反転自在に取り付けられている。【００１４】  本実施の形態におけるダブルクリップ用インデックス（以下、単にインデックスと言う。）は例えば合成樹脂材料等で製され、前記ダブルクリップ本体１の長手方向の長さｌより若干長い長さＬを有する装着部５を有し、その装着部５の両端部には装着部５の直角方向に突出し、先端部の内側には突起部５ａ、５ａを有する係止爪部５ｂ、５ｂが設けられている。
また装着部５に設けられた係止爪５ｂ、５ｂの間には装着部５の外側に突出した一対の突状面５ｃ、５ｃが設けられている。
一方、前記装着部５の一側面、すなわち前記係止爪５ｂ、５ｂとは反対方向にヒンジ部６ａを介して略長方形でシート状の表示部６ｂを設けたインデックス６が一体的に延びて形成されている。【００１５】  前記ヒンジ部６ａは装着部５近傍に位置しており、表示部６ｂに外力が加わった場合に容易に折曲可能なように構成されており、また、前記表示部６ｂはインデックス６の厚さより若干薄く形成されており、その表示部６ｂに資料名や図形等を直接記載するか、又は表面に文字等をプリントしたシール等を貼り付けて見出しとして使用することができる。【００１６】  このような構成からなる本考案のダブルクリップ用インデックスにおいては、例えば資料名等を表示部６ｂに記載したのち、インデックス６の装着部５を持ち、ダブルクリップ本体１の一方の端部に係止爪５ｂの一方を係止させた後、ダブルクリップ本体１の他方の端部に係止爪５ｂの他方を係止させる。
このような状態でインデックス６が回動しようとする場合はダブルクリップ本体１の幅方向の範囲においては自由に回動することが可能であるが、装着部５の外側面には外側に突出した一対の突状面５ｃ、５ｃが設けられており、この突状面５ｃ、５ｃがクリップ本体１の折り曲げ部３ｃに当接することにより回動が規制される。【００１７】  このインデックス６の装着部５に所定以上の力を加えることにより、凸部５ｃ、５ｃがクリップ本体１の折り曲げ部３ｃを乗り越え直角以上に回動することが可能となる。
また、装着部５に設けられた係止爪５ｂとは反対方向に表示部６ｂを設けた構成であり所定以上の力が表示部６ｂに加わることによりヒンジ部６ａを介して外方に表示部６ｂ設けた構成であり、このヒンジ部６ａを介して表示部６ｂが折曲可能に構成されている。
【符号の説明】
【００１８】  １    本体
５    装着部
５ｂ  係止爪
５ｃ  突状面
６    インデックス
６ａ  ヒンジ部
６ｂ  表示部
【図１】
0003207507.tif 000003
【図２】
0003207507.tif 000004
【図３】
0003207507.tif 000005
【図４】
0003207507.tif 000006
【図５】
0003207507.tif 000007
【図６】
0003207507.tif 000008